(57)【要約】【課題】鏡筒内の手振れ補正用のレンズを一連の動作で光軸上から退避させて所望の位置に収納する。【解決手段】レンズ鏡筒は、ズーミング又はフォーカシングの動作に伴って光軸方向に移動するレンズ群１０８，１１０と、光軸に対して直交する方向に移動可能なＯＩＳレンズ１１６と、ＯＩＳレンズ１１６が装着され、レンズ群１０８，１１０の沈胴時にＯＩＳレンズ１１６を光軸上から退避させるとともに、ＯＩＳレンズ１１６を光軸に沿った方向に移動させるＯＩＳレンズ組立体１２２と、を備える。【選択図】図３
2013061415.tif 000002
【特許請求の範囲】
【請求項１】
沈胴時に光軸方向に移動するレンズ群と、
光軸に対して直交する方向に移動可能な手振れ補正用レンズと、
手振れ補正用レンズが装着され、前記レンズ群の沈胴時に前記手振れ補正用レンズを光軸上から退避させるとともに、前記手振れ補正用レンズを光軸に沿った方向に移動させる補正用レンズ組立体と、
を備えることを特徴とする、レンズ鏡筒。
【請求項２】
前記補正用レンズ組立体を光軸と平行な軸を中心として回動可能に支持するベース部を備え、
前記補正用レンズ組立体は、前記軸を中心として回動することで前記手振れ補正用レンズを光軸上から退避させることを特徴とする、請求項１に記載のレンズ鏡筒。
【請求項３】
前記ベース部は、前記補正用レンズ組立体が当接する傾斜面を備え、
前記補正用レンズ組立体は、前記軸を中心として回動する際に前記傾斜面に沿って移動することで、前記手振れ補正用レンズを光軸に沿った方向に移動させることを特徴とする、請求項１又は２に記載のレンズ鏡筒。
【請求項４】
沈胴解除時に前記ベース部を光軸と直交する方向へ移動可能に保持する保持枠と、
前記保持枠に対して回動可能に支持され、前記沈胴時に前記ベース部を前記保持枠に対して固定する固定部材と、
を更に備える、請求項１〜３のいずれかに記載のレンズ鏡筒。
【請求項５】
前記固定部材は、前記沈胴時に回動することにより前記ベース部の外周を保持することで、前記ベース部を前記保持枠に対して光軸と直交する方向で固定することを特徴とする、請求項４に記載のレンズ鏡筒。
【請求項６】
前記固定部材は、前記沈胴時に回動することにより前記ベース部の光軸と直交する面を保持することで、前記ベース部を前記保持枠に対して光軸方向で固定することを特徴とする、請求項４に記載のレンズ鏡筒。
【請求項７】
前記固定部材は、前記沈胴時に回動することにより補正用レンズ組立体を前記軸を中心として回動させることを特徴とする、請求項４〜６のいずれかに記載のレンズ鏡筒。
【請求項８】
被写体の光学像を結像する撮像光学系に含まれ、沈胴時に光軸方向に移動するレンズ群と、
前記撮像光学系により被写体の光学像が結像される撮像面を有し、前記光学像を電気信号に変換する撮像素子と、
前記撮像光学系に含まれ、光軸に対して直交する方向に移動可能な手振れ補正用レンズと、
手振れ補正用レンズが装着され、前記レンズ群の沈胴時に前記手振れ補正用レンズを光軸上から退避させるとともに、前記手振れ補正用レンズを光軸に沿った方向に移動させる補正用レンズ組立体と、
を備えることを特徴とする、撮像装置。
【請求項９】
前記補正用レンズ組立体を光軸と平行な軸を中心として回動可能に支持するベース部を備え、
前記補正用レンズ組立体は、前記軸を中心として回動することで前記手振れ補正用レンズを光軸上から退避させることを特徴とする、請求項８に記載の撮像装置。
【請求項１０】
前記ベース部は、前記補正用レンズ組立体が当接する傾斜面を備え、
前記補正用レンズ組立体は、前記軸を中心として回動する際に前記傾斜面に沿って移動することで、前記手振れ補正用レンズを光軸に沿った方向に移動させることを特徴とする、請求項８又は９に記載の撮像装置。
【請求項１１】
沈胴解除時に前記ベース部を光軸と直交する方向へ移動可能に保持する保持枠と、
前記保持枠に対して回動可能に支持され、前記沈胴時に前記ベース部を前記保持枠に対して固定する固定部材と、
を更に備える、請求項８〜１０のいずれかに記載の撮像装置。
【請求項１２】
前記固定部材は、前記沈胴時に回動することにより前記ベース部の外周を保持することで、前記ベース部を前記保持枠に対して光軸と直交する方向で固定することを特徴とする、請求項１１に記載の撮像装置。
【請求項１３】
前記固定部材は、前記沈胴時に回動することにより前記ベース部の光軸と直交する面を保持することで、前記ベース部を前記保持枠に対して光軸方向で固定することを特徴とする、請求項１１に記載の撮像装置。
【請求項１４】
前記固定部材は、前記沈胴時に回動することにより補正用レンズ組立体を前記軸を中心として回動させることを特徴とする、請求項１１〜１３のいずれかに記載の撮像装置。
【発明の詳細な説明】
【技術分野】
【０００１】
本発明は、レンズ鏡筒及び撮像装置に関する。
【背景技術】
【０００２】
従来、デジタルカメラ等に使用されるレンズ鏡筒において、沈胴時に、レンズの一部を上下左右方向に回転移動させたり、もしくは上下方向へのレンズ跳ね上げ運動によりレンズを退避させる機構が知られている。例えば、下記の特許文献１〜３には、手振れ補正光学系を退避させる構成が記載されている。また、下記の特許文献４〜６には、光学系の一部のレンズが回動して光軸から退避した後に、後退する技術が記載されている。
【先行技術文献】
【特許文献】
【０００３】
【特許文献１】特開2007-206210号公報
【特許文献２】特開2007-199320号公報
【特許文献３】特開2007-199319号公報
【特許文献４】特開2006-234951号公報
【特許文献５】特開2005-284247号公報
【特許文献６】特開2004-233923号公報
【発明の概要】
【発明が解決しようとする課題】
【０００４】
しかしながら、上記従来の技術においては、鏡筒内の一部のレンズを光軸上から退避させる動作のみを行うか、または、光軸から退避する動作と、前後方向への移動とが、別々に行われるものであった。このため、鏡筒内のレンズの一部を一連の動作で光軸上から退避させて所望の位置に収納することが困難であり、退避動作が煩雑になる問題が生じていた。
【０００５】
そこで、本発明は、上記問題に鑑みてなされたものであり、本発明の目的とするところは、鏡筒内の手振れ補正用のレンズを一連の動作で光軸上から退避させるとともに、光軸方向に移動して所望の位置に収納することが可能な、新規かつ改良されたレンズ鏡筒及び撮像装置を提供することにある。
【課題を解決するための手段】
【０００６】
上記課題を解決するために、本発明のある観点によれば、沈胴時に光軸方向に移動するレンズ群と、光軸に対して直交する方向に移動可能な手振れ補正用レンズと、手振れ補正用レンズが装着され、前記レンズ群の沈胴時に前記手振れ補正用レンズを光軸上から退避させるとともに、前記手振れ補正用レンズを光軸に沿った方向に移動させる補正用レンズ組立体と、を備えるレンズ鏡筒が提供される。
【０００７】
上記構成によれば、補正用レンズ組立体には手振れ補正用レンズが装着され、レンズ群の沈胴時において、手振れ補正用レンズが光軸上から退避されるとともに、手振れ補正用レンズが光軸に沿った方向に移動される。従って、沈胴時に手振れ補正用レンズを光軸から退避させて所望の位置に収納することができ、沈胴時の全長を最小限に抑えることが可能となる。
【０００８】
また、前記補正用レンズ組立体を光軸と平行な軸を中心として回動可能に支持するベース部を備え、前記補正用レンズ組立体は、前記軸を中心として回動することで前記手振れ補正用レンズを光軸上から退避させる。この構成により、補正用レンズ組立体は、光軸と平行な軸を中心として回動することで光軸上から退避することができる。
【０００９】
また、前記ベース部は、前記補正用レンズ組立体が当接する傾斜面を備え、前記補正用レンズ組立体は、前記軸を中心として回動する際に前記傾斜面に沿って移動することで、前記手振れ補正用レンズを光軸に沿った方向に移動させる。この構成によれば、補正用レンズ組立体を、傾斜面に沿って光軸に沿った方向に移動させることができる。
【００１０】
また、沈胴解除時に前記ベース部を光軸と直交する方向へ移動可能に保持する保持枠と、前記保持枠に対して回動可能に支持され、前記沈胴時に前記ベース部を前記保持枠に対して固定する固定部材と、を更に備える。この構成によれば、沈胴時においては、固定部材によってベース部が保持枠に対して固定される。従って、沈胴時に手振れ補正用レンズが移動してしまうことを確実に抑止できる。
【００１１】
また、前記固定部材は、前記沈胴時に回動することにより前記ベース部の外周を保持することで、前記ベース部を前記保持枠に対して光軸と直交する方向で固定する。この構成によれば、固定部材によってベース部が保持枠に対して光軸と直交する方向で固定されるため、沈胴時に手振れ補正用レンズが光軸と直交する方向に移動してしまうことを確実に抑止できる。
【００１２】
また、前記固定部材は、前記沈胴時に回動することにより前記ベース部の光軸と直交する面を保持することで、前記ベース部を前記保持枠に対して光軸方向で固定する。この構成によれば、固定部材によってベース部が保持枠に対して光軸方向で固定されるため、沈胴時に手振れ補正用レンズが光軸方向に移動してしまうことを確実に抑止できる。
【００１３】
また、前記固定部材は、前記沈胴時に回動することにより補正用レンズ組立体を前記軸を中心として回動させる。この構成によれば、固定部材の回動によって補正レンズ組立体が回動されるため、固定部材によってベース部が保持枠に対して固定されるとともに、固定部材によって補正用レンズ組立体を回動させることができる。
【００１４】
また、上記課題を解決するために、本発明の別の観点によれば、被写体の光学像を結像する撮像光学系に含まれ、沈胴時に光軸方向に移動するレンズ群と、前記撮像光学系により被写体の光学像が結像される撮像面を有し、前記光学像を電気信号に変換する撮像素子と、前記撮像光学系に含まれ、光軸に対して直交する方向に移動可能な手振れ補正用レンズと、手振れ補正用レンズが装着され、前記レンズ群の沈胴時に前記手振れ補正用レンズを光軸上から退避させるとともに、前記手振れ補正用レンズを光軸に沿った方向に移動させる補正用レンズ組立体と、を備える撮像装置が提供される。
【００１５】
上記構成によれば、補正用レンズ組立体には手振れ補正用レンズが装着され、レンズ群の沈胴時において、手振れ補正用レンズが光軸上から退避されるとともに、手振れ補正用レンズが光軸に沿った方向に移動される。従って、沈胴時に手振れ補正用レンズを光軸から退避させて所望の位置に収納することができ、沈胴時の全長を最小限に抑えることが可能となる。
【００１６】
また、前記補正用レンズ組立体を光軸と平行な軸を中心として回動可能に支持するベース部を備え、前記補正用レンズ組立体は、前記軸を中心として回動することで前記手振れ補正用レンズを光軸上から退避させる。この構成により、補正用レンズ組立体は、光軸と平行な軸を中心として回動することで光軸上から退避することができる。
【００１７】
また、前記ベース部は、前記補正用レンズ組立体が当接する傾斜面を備え、前記補正用レンズ組立体は、前記軸を中心として回動する際に前記傾斜面に沿って移動することで、前記手振れ補正用レンズを光軸に沿った方向に移動させる。この構成によれば、補正用レンズ組立体を、傾斜面に沿って光軸に沿った方向に移動させることができる。
【００１８】
また、沈胴解除時に前記ベース部を光軸と直交する方向へ移動可能に保持する保持枠と、前記保持枠に対して回動可能に支持され、前記沈胴時に前記ベース部を前記保持枠に対して固定する固定部材と、を更に備える。この構成によれば、沈胴時においては、固定部材によってベース部が保持枠に対して固定される。従って、沈胴時に手振れ補正用レンズが移動してしまうことを確実に抑止できる。
【００１９】
また、前記固定部材は、前記沈胴時に回動することにより前記ベース部の外周を保持することで、前記ベース部を前記保持枠に対して光軸と直交する方向で固定する。この構成によれば、固定部材によってベース部が保持枠に対して光軸と直交する方向で固定されるため、沈胴時に手振れ補正用レンズが光軸と直交する方向に移動してしまうことを確実に抑止できる。
【００２０】
また、前記固定部材は、前記沈胴時に回動することにより前記ベース部の光軸と直交する面を保持することで、前記ベース部を前記保持枠に対して光軸方向で固定する。この構成によれば、固定部材によってベース部が保持枠に対して光軸方向で固定されるため、沈胴時に手振れ補正用レンズが光軸方向に移動してしまうことを確実に抑止できる。
【００２１】
また、前記固定部材は、前記沈胴時に回動することにより補正用レンズ組立体を前記軸を中心として回動させる。この構成によれば、固定部材の回動によって補正レンズ組立体が回動されるため、固定部材によってベース部が保持枠に対して固定されるとともに、固定部材によって補正用レンズ組立体を回動させることができる。
【発明の効果】
【００２２】
本発明によれば、鏡筒内の手振れ補正用のレンズを一連の動作で光軸上から退避させるとともに、光軸方向に移動して所望の位置に収納することが可能となる。
【図面の簡単な説明】
【００２３】
【図１】レンズ鏡筒が沈胴している状態を示す模式図である。
【図２】レンズ鏡筒の沈胴が解除された状態（撮影時の状態）を示す模式図である。
【図３】ＯＩＳレンズ群の構成を示す分解斜視図である。
【図４】ＯＩＳレンズが光軸上に位置する第１の状態を示す模式図である。
【図５】ＯＩＳレンズが光軸よりも下側に退避した第２の状態を示す模式図である。
【図６】ＯＩＳレンズ組立体の孔がＯＩＳベースの軸に挿入される様子を示す模式図である。
【図７】ＯＩＳレンズ群を撮像素子側から見た状態を示す模式図である。
【図８】図７中の一点鎖線で囲まれた領域Ｂを拡大して示す模式図である。
【図９】沈胴する過程において、固定枠から突出した突起部がリトラクタガイドの傾斜面に当接する様子を示す模式図である。
【発明を実施するための形態】
【００２４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２５】
［レンズ鏡筒の構成例］
まず、図１及び図２を参照して、本発明の第１の実施形態に係る撮像装置のレンズ鏡筒１００の概略構成について説明する。図１は、本実施形態における撮像装置において、レンズ鏡筒１００が沈胴している状態を示す模式図であり、図２はレンズ鏡筒１００の沈胴が解除された状態（撮影時の状態）を示している。また、図１（Ａ）及び図２（Ａ）はレンズ鏡筒１００を被写体側から見た状態を示しており、図１（Ｂ）及び図２（Ｂ）はレンズ鏡筒１００の光軸３００に沿った断面を示している。
【００２６】
図２に示すように、レンズ鏡筒１００は、レンズ枠１０２、レンズ枠１０４、レンズ枠１０６、及び固定枠１０７を備えている。レンズ枠１０２は第１群レンズ１０８を保持し、レンズ枠１０４は第２群レンズ１１０を保持している。また、レンズ枠１０６は第３群レンズ１１２を保持している。ここで、第１群レンズ１０８及び第２群レンズ１１０はズーミング時に光軸方向に移動し、第３群レンズ１１２はフォーカシング時に光軸方向に移動する。
【００２７】
また、第２群レンズ１１０と第３群レンズ１１２の間には、ＯＩＳレンズ群１１４が配置されている。ＯＩＳレンズ群１１４は、手振れを補正するため、手振れに応じて光軸と直交する方向へ移動するＯＩＳレンズ１１６を備えている。
【００２８】
図１に示すように、沈胴時の状態では、レンズ枠１０２、レンズ枠１０４、レンズ枠１０６が撮像素子１０９側に退避しており、レンズ鏡筒１００の光軸方向の長さが最も短くなる。また、図２に示すように、沈胴解除時（撮影時）には、レンズ枠１０２、レンズ枠１０４、レンズ枠１０６が被写体側に繰り出した状態となる。第１群レンズ１０８、第２群レンズ１１０、及び第３群レンズ１１２は、被写体の光学像を結像する撮像光学系に含まれ、撮像素子１０９は、これらの撮像光学系により被写体の光学像が結像される撮像面を有している。
【００２９】
沈胴時には、第２群レンズ１１０の最も撮像素子１０９側のレンズ１１０ａがＯＩＳレンズ群１１４に接近する。このとき、ＯＩＳレンズ１１６が光軸３００上に位置していると、レンズ１１０ａとＯＩＳレンズ１１６の距離を確保する必要があるため、第２群レンズ１１０の沈胴量に制約が生じてしまう。つまり、第２群レンズ１１０の沈胴量がより少なくなり、沈胴時のレンズ鏡筒２００の全長が長くなってしまう。
【００３０】
このため、本実施形態では、図１（Ｂ）に示す沈胴時には、ＯＩＳレンズ群１１４を光軸３００よりも下側に退避させる。更に、沈胴時には、ＯＩＳレンズ１１６を光軸３００から退避させた状態で、ＯＩＳレンズ１１６を保持するＯＩＳレンズ保持枠１１８に対してＯＩＳレンズ１１６を後ろ側（撮像素子１０９側）に退避させている。これにより、沈胴時の全長を短くすることが可能となる。
【００３１】
レンズ鏡筒１００を薄型化させる場合、各群の移動量が大きい場合、沈胴段数を増やす必要が出てくる。この場合、沈胴動作に必要なカムの数も増える為、薄型の障害となる場合がある。本実施形態では、沈胴時に、レンズ鏡筒１００の全長を更に薄くするために、撮像素子１０９側の使用していないスペースをより有効に活用して沈胴するレンズ群を収納できるように、前後方向（光軸方向）へもＯＩＳレンズ１１６を移動させるため、第２群レンズ１１０の沈胴量をより大きくすることができ、更なる薄型化を達成することができる。例えば、沈胴時にＯＩＳレンズ１１６を撮像素子１０９側へ２ｍｍ移動させた場合、沈胴時にＯＩＳレンズ１１６を撮像素子１０９側へ移動させない場合に比べて、第２群レンズ１１０の沈胴量も少なくとも２ｍｍ増加することができる。従って、レンズ鏡筒１００及び撮像装置の更なる薄型化を達成することが可能である。
【００３２】
［ＯＩＳレンズ群の構成］
次に、ＯＩＳレンズ群１１４の構成について説明する。図３は、ＯＩＳレンズ群１１４の構成を示す分解斜視図である。図３に示すように、ＯＩＳレンズ群１１４は、ＯＩＳレンズ保持枠１１８、ＯＩＳベース１２０、ＯＩＳレンズ組立体１２２、バネ１２４、ホルダー１２６、リトラクトガイド（固定部材）１２８、バネ１３０，１３２を有して構成されている。
【００３３】
ＯＩＳベース１２０には、マグネット１３４，１３６が装着されている。ＯＩＳベース１２０は、マグネット１３４，１３６の磁力により、ＯＩＳレンズ保持枠１１８に対して光軸３００と直交する２方向へ移動可能とされている。また、ＯＩＳベース１２０には、ＯＩＳレンズ組立体１２２が装着されている。ＯＩＳレンズ組立体１２２には、ＯＩＳレンズ１１６が固定されている。図２に示す沈胴解除時において、ＯＩＳレンズ１１６は光軸３００上に配置され、ＯＩＳレンズ１１６はＯＩＳベース１２０と一体に駆動される。これにより、手振れによるレンズ鏡筒１００の移動を検知した場合に、手振れに応じてＯＩＳベース１２０をＯＩＳレンズ保持枠１１８に対して光軸と直交する方向へ駆動することで、撮像素子１０９の撮像面上での結像位置が変化し、手振れによる画像の劣化を補正することができる。
【００３４】
ＯＩＳベース１２０には、軸１２０ａが設けられている。また、ＯＩＳレンズ組立体１２２には、軸１２０ａが挿入される孔１２２ａが設けられており、ＯＩＳレンズ組立体１２２は、孔１２２ａに軸１２０ａが挿入された状態で回動可能に構成されている。このような構成により、ＯＩＳレンズ組立体１２２は、ＯＩＳレンズ１１６が光軸３００上に位置する第１の状態と、ＯＩＳレンズ１１６が光軸３００よりも下側に退避した第２の状態との間を移動することができる。
【００３５】
図４及び図５は、ＯＩＳレンズ群１１４を撮像素子１０９側から見た状態を示す模式図である。図４は、ＯＩＳレンズ１１６が光軸３００上に位置する第１の状態を示しており、図５は、ＯＩＳレンズ１１６が光軸３００よりも下側に退避した第２の状態を示している。図４及び図５に示すように、ＯＩＳレンズ組立体１２２が軸１２０ａを中心として回動することで、ＯＩＳレンズ組立体１２２は、第１の状態と第２の状態の位置に設定される。
【００３６】
ホルダー１２６は、ＯＩＳレンズ組立体１２２の孔１２２ａに軸１２０ａが挿入された状態でＯＩＳベース１２０に固定され、軸１２０ａからＯＩＳレンズ組立体１２２が離脱しないように、抜け止めの機能を果たす。また、バネ１２４は、弦巻バネから構成され、孔１２２ａが設けられたボス１２２ｂに挿入され、ＯＩＳレンズ組立体１２２を第１の状態の方向（図４及び図５中の矢印Ａ１方向）に向けて付勢する。
【００３７】
図３、図４、及び図５に示すように、ＯＩＳベース１２０には、傾斜面１２０ａが設けられており、傾斜面１２０ａにはＯＩＳレンズ組立体１２２が当接している。傾斜面１２０ａは、光軸３００から離れるほどＯＩＳベース１２０から撮像素子１０９側への高さが高くなるように構成されている。これにより、ＯＩＳレンズ組立体１２２は、第１の状態から第２の状態に移行するにつれて、傾斜面１２０ａによって撮像素子１０９側へ移動する。
【００３８】
図６は、ＯＩＳレンズ組立体１２２の孔１２２ａがＯＩＳベース１２０の軸１２０ａに挿入される様子を示す模式図である。孔１２２ａが軸１２０ａに挿入されると、ＯＩＳレンズ組立体１２２の突起部１２２ｄが傾斜面１２０ａと当接する。ＯＩＳレンズ組立体１２２は、バネ１２４によってＯＩＳベース１２０側に付勢されており、突起部１２２ｄは常に傾斜面１２０ａと当接している。つまり、バネ１２４は、ＯＩＳレンズ組立体１２２を軸１２０aを中心とした回動方向に付勢するとともに、ＯＩＳレンズ組立体１２２を光軸方向にも付勢している。従って、第１の状態から第２の状態に移行するにつれて、ＯＩＳレンズ組立体１２２の突起部１２２ｄが傾斜面１２０ａを上っていき、ＯＩＳレンズ組立体１２２が撮像素子１０９側へ移動する。また、傾斜面１２０ａは、ＯＩＳレンズ組立体１２２の光軸方向の移動量を規制するため、所定の量、前後移動した後、ＯＩＳレンズ組立体１２２が回転方向と並行（光軸と直交する方向のみ）に移動するように構成されている。
【００３９】
リトラクタガイド１２８は、その外周面がＯＩＳレンズ保持枠１１８の内周面１１８ｂに対して回動可能にかん合している。図３に示すように、リトラクタガイド１２８には、撮像素子１０９側に向けて３つの突起１２８ａ，１２８ｂ，１２８ｃが設けられている。３つの突起１２８ａ，１２８ｂ，１２８ｃは、ＯＩＳレンズ保持枠１１８に設けられた孔１１８ａに挿通され、ＯＩＳベース１２０及びＯＩＳレンズ組立体１２２と係合可能に構成されている。
【００４０】
３つの突起１２８ａ，１２８ｂ，１２８ｃのうち、突起１２８ａ，１２８ｂは、ＯＩＳベース１２０のＯＩＳレンズ保持枠１１８に対する移動を抑制する機能を有する。また、突起１２８ｃは、ＯＩＳレンズ組立体１２２を第１の状態と第２の状態の間で回動させる機能を有する。図７は、ＯＩＳレンズ群１１０を撮像素子１０９側から見た状態を示す模式図であって、リトラクタガイド１２８の回動によってＯＩＳレンズ組立体１２２が第１の状態から第２の状態へ移動し、ＯＩＳベース１２０がＯＩＳレンズ保持枠１１８に対して固定される様子を示している。
【００４１】
図７（Ａ）は、ＯＩＳレンズ組立体１２２が第１の状態に位置している状態を示している。この状態では、バネ１２４の付勢力によってＯＩＳレンズ１１６が光軸上に位置している。図７（Ａ）に示す状態からリトラクタガイド１２８が反時計回りに回動すると、図７（Ｂ）に示すように、リトラクタガイド１２８の突起１２８ｃが、ＯＩＳレンズ組立体１２２の外側に設けられた突起１２２ｃと当接する。この状態から更にリトラクタガイド１２８が反時計回りに回動すると、突起１２２ｃが突起１２８ｃに押されて、ＯＩＳレンズ組立体１２２が第２の状態に向けて回動する。そして、図７（Ｃ）に示すように、リトラクタガイド１２８が反時計回りの終端まで回動すると、突起１２８ｃに押されて回動したＯＩＳレンズ組立体１２２が第２の位置に到達する。ＯＩＳレンズ組立体１２２は、その突起部１２２ｄが傾斜面１２０ａと当接しているため、第１の状態から第２の状態に移行するにつれて、光軸方向を撮像素子１０９側へ移動する。
【００４２】
また、リトラクタガイド１２８が反時計回りに回動すると、突起１２８ａ，１２８ｂによってＯＩＳベース１２０がＯＩＳレンズ保持枠１１８に対して固定される。図７（Ａ）〜図７（Ｃ）に示すように、ＯＩＳベース１２０には、外径が周囲よりも大きい突出部１２０ｂが設けられている。突出部１２０ｂの外径は、突起１２８ａ，１２８ｂの内径の大きさと一致している。リトラクタガイド１２８が反時計回りに回動すると、突出部１２０ｂと突起１２８ａ，１２８ｂの角度位置が一致し、突出部１２０ｂの外径が突起１２８ａ，１２８ｂの内径によって保持される。
【００４３】
図８は、図７中の一点鎖線で囲まれた領域Ｂを拡大して示す模式図であり、図８（Ａ）、図８（Ｂ）、図８（Ｃ）は、それぞれ図７（Ａ）、図７（Ｂ）、図７（Ｃ）に対応している。また、図８（Ｄ）は、図８（Ａ）中の矢印Ａ２方向から突起１２８ｂ及び突出部１２０ｂを見た状態を示す模式図である。
【００４４】
図８（Ｄ）に示すように、突起１２８ｂの先端には、光軸３００側に向かって突出する突起１２８ｄが設けられている。同様に、突起１２８ａの先端には、光軸側に向かって突出する突起１２８ｄが設けられている。突起１２８ｄの被写体側の面１２８ｅは、突出部１２０ｂの撮像素子１０９側の面１２０ｃの位置と一致している。
【００４５】
図７（Ａ）及び図８（Ａ）に示す状態では、突出部１２０ｂの外径と突起１２８ａ，１２８ｂの内径は当接していない。従って、ＯＩＳベース１２０は、光軸と直交する２方向へ移動することができる。これにより、上述したように、ＯＩＳベース１２０の移動によって手振れ補正が行われる。
【００４６】
図７（Ｂ）及び図８（Ｂ）に示すように、リトラクタガイド１２８が反時計回り（矢印Ａ４方向）に回動すると、突出部１２０ｂの外径と突起１２８ａ，１２８ｂの内径の光軸を中心とした角度位置が重なり、突出部１２０ｂの外径と突起１２８ａ，１２８ｂの内径は当接し始める。これにより、ＯＩＳベース１２０が光軸３００と直交する方向においてリトラクタガイド１２８によって保持される。また、突起１２８ｄの被写体側の面１２８ｅと突出部１２０ｂの撮像素子１０９側の面１２０ｃとが当接し、ＯＩＳベース１２０の撮像素子１０９側への移動が規制される。
【００４７】
そして、図７（Ｃ）及び図８（Ｃ）に示すように、リトラクタガイド１２８が反時計回りの終端まで回動すると、突出部１２０ｂの外径と突起１２８ａ，１２８ｂの内径が完全に当接した状態となる。突出部１２０ｂの外径と突起１２８ａ，１２８ｂの内径が当接した状態になると、ＯＩＳベース１２０が光軸３００と直交する方向においてリトラクタガイド１２８によって保持される。リトラクタガイド１２８は、その外径がＯＩＳレンズ保持枠１１８の内径に対して回動可能にかん合しているため、ＯＩＳベース１２０が光軸と直交する方向においてリトラクタガイド１２８によって保持されると、この結果、ＯＩＳベース１２０が光軸と直交する方向においてＯＩＳレンズ保持枠１１８に保持される。
【００４８】
また、図７（Ｃ）及び図８（Ｃ）に示す状態では、突起１２８ｄの被写体側の面１２８ｅと突出部１２０ｂの撮像素子１０９側の面１２０ｃとが当接する。これにより、突起１２８ｄとＯＩＳベース１２０が係合する。ＯＩＳベース１２０の被写体側は、ＯＩＳレンズ保持枠１１８の撮像素子１０９側と常に当接している。従って、突起１２８ｄとＯＩＳベース１２０が係合することによって、ＯＩＳベース１２０の撮像素子１０９側への移動が規制される。従って、図７（Ｃ）及び図８（Ｃ）に示す状態では、光軸方向と光軸と直交する方向のいずれにおいても、ＯＩＳベース１２０がＯＩＳレンズ保持枠１１８に対して固定された状態となる。
【００４９】
これにより、沈胴時において、ＯＩＳベース１２０がレンズ鏡筒２００の内部で動いてしまうことを抑止することができ、沈胴時にＯＩＳレンズ１１６が光軸３００から退避する構成において、ＯＩＳレンズ１１６を固定した状態で安定して保持することができる。
【００５０】
ＯＩＳベース１２０は手振れ補正時（OIS時）に光軸と直交する2方向（上下左右）に動作する必要があるため、位置決めはマグネット１３４，１３６の力のみで行われ、マグネット１３４，１３６の力に応じて光軸と直交する2方向に自由に動くことが可能となっている。しかし、退避時には、リトラクタガイド１２８によってＯＩＳレンズ組立体１２２が回動方向に押されるため、仮にリトラクタガイド１２８によってＯＩＳレンズ保持枠１１８に対してＯＩＳベース１２０が固定されていないと、ＯＩＳベース１２０が移動してしまい、退避動作に支障が生じてしまう。本実施形態では、ＯＩＳレンズ１１６を退避させる際に、ＯＩＳベース１２０がＯＩＳレンズ保持枠１１８に対して固定された状態となるため、安定してＯＩＳレンズ１１６を退避させることが可能である。
【００５１】
沈胴時から沈胴解除時へ移行する場合は、上述した動作と逆の動作が行われる。この場合、図７（Ｃ）に示す状態からリトラクタガイド１２８が時計周りに回動すると、バネ１２４の付勢力によってＯＩＳレンズ組立体１２２が第１の状態に向かって回動する。そして、図７（Ａ）の状態に復帰すると、ＯＩＳレンズ１１６が光軸３００上の位置に復帰する。また、図７（Ａ）の状態に復帰すると、突出部１２０ｂと突起１２８ａ，１２８ｂの係合が外れ、ＯＩＳベース１２０がＯＩＳレンズ保持枠１１８に対して光軸３００と直交する方向へ移動可能となる。
【００５２】
以上のように、本実施形態の構成によれば、リトラクタガイド１２８の回動によって、ＯＩＳレンズ組立体１２２を第１の位置と第２の位置の間で回動させることができる。また、リトラクタガイド１２８の回動によって、ＯＩＳベース１２０をＯＩＳレンズ保持枠１１８に対して固定することができ、またその固定を解除することができる。
【００５３】
また、ＯＩＳレンズ組立体１２２の移動に傾斜面１２０ａを使用することで、回転方向への退避動作だけでなく、前後方向（光軸方向）への退避動作も同時に行うことが可能となる。これにより、沈胴時の鏡筒全長を更に薄型化することが可能となる。
【００５４】
次に、リトラクタガイド１２８を回動させるための構成について説明する。図３に示すように、リトラクタガイド１２８の突起部１２８ｃには、傾斜面１２８ｆが設けられている。リトラクタガイド１２８は、バネ１３０，１３２の付勢力により、光軸３００を中心として、図４及び図５に示す矢印Ａ３方向へ回動するように付勢されている。
【００５５】
図９は、沈胴する過程において、固定枠１０７から突出した突起部１０７ａがリトラクタガイド１２８の傾斜面１２８ｆに当接する様子を示している。沈胴に伴い、ＯＩＳレンズ群１１４が撮像素子１０９側へ移動すると、固定枠１０７から突出した突起部１０７ａがリトラクタガイド１２８の傾斜面１２８ｆに当接し、更にＯＩＳレンズ群１１０が撮像素子１０９側へ移動することによって、傾斜面１２８ｆが突起部１０７ａから受けた力の分力によって、リトラクタガイド１２８が図４及び図５に示す矢印Ａ３と反対方向に回動する。これにより、沈胴解除時から沈胴時に移行する際に、リトラクタガイド１２８を図７（Ａ）〜図７（Ｃ）中の矢印Ａ４方向へ回動させることができる。
【００５６】
一方、沈胴時から沈胴解除時へ移行する際には、リトラクタガイド１２８は、バネ１３０，１３２の付勢力により、光軸３００を中心として、図４及び図５に示す矢印Ａ４方向へ回動するように付勢されているため、傾斜面１２８ｆの被写体側への移動に伴って図７に示す矢印Ａ４方向へ回動し、図７（Ａ）に示す状態に復帰する。これにより、ＯＩＳレンズ組立体１２２が第１の位置に復帰するとともに、ＯＩＳベース１２０のＯＩＳレンズ保持枠１１８に対する固定が解除された状態となる。
【００５７】
以上説明したように本実施形態によれば、沈胴時に手振れ補正用のＯＩＳレンズ１１６を光軸３００上から退避させるとともに、光軸３００の方向に移動させるようにしたため、ＯＩＳレンズ１１６によって沈胴の動作が妨げられてしまうことを回避できる。従って、沈胴時にレンズ鏡筒２００の全長を最小限に抑えることが可能となる。
【００５８】
また、沈胴時にＯＩＳベース１２０をＯＩＳレンズ保持枠１１８に対して固定することができるため、沈胴時にマグネット１３４，１３６への通電がオフになった状態においても、ＯＩＳベース１２０がＯＩＳレンズ保持枠１１８に対して移動することを抑止することができる。
【００５９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００６０】
１００    レンズ鏡筒
１０８    第１群レンズ
１１０    第２群レンズ
１１２    第３群レンズ
１１６    ＯＩＳレンズ
１１８    ＯＩＳレンズ保持枠
１２０    ＯＩＳベース
１２０ａ  傾斜面
１２０ａ  軸
１２２    ＯＩＳレンズ組立体
１２８    リトラクトガイド
【図１】
2013061415.tif 000003
【図２】
2013061415.tif 000004
【図３】
2013061415.tif 000005
【図４】
2013061415.tif 000006
【図５】
2013061415.tif 000007
【図６】
2013061415.tif 000008
【図７】
2013061415.tif 000009
【図８】
2013061415.tif 000010
【図９】
2013061415.tif 000011